(57)【要約】【課題】ヌメリ防除剤を浪費することなく、厨芥処理室内の細菌等の繁殖を抑制することができる厨芥処理装置用の蓋体、及びそれを備えた厨芥処理装置を提供する。【解決手段】本発明は、厨芥を粉砕し、粉砕された厨芥を洗浄水と共に排水管に排出する厨芥処理装置（１）であって、排水口を兼ねた厨芥投入口（２）が上方に形成された厨芥処理室（８）と、厨芥投入口から投入された厨芥を粉砕する粉砕手段（１６、１８）と、この粉砕手段を回転駆動する駆動手段（１２）と、ヌメリ防除剤を入れるための薬剤収納部（３９）を備え、厨芥投入口に装着される蓋体（３０）と、を有し、蓋体は、厨芥の粉砕時に配置される、薬剤収納部への洗浄水の流入が阻止又は抑制される第１位置と、厨芥の非粉砕時に配置される、薬剤収納部を通って洗浄水を厨芥処理室内に流入させる第２位置との間で移動可能に厨芥投入口に装着されることを特徴としている。【選択図】図４
2007175644.tif 000002
【特許請求の範囲】
【請求項１】
シンクの排水口に設置され、厨芥を粉砕し、粉砕された厨芥を洗浄水と共に排水管に排出する厨芥処理装置であって、
厨芥を投入するための、上記排水口を兼ねた厨芥投入口が上方に形成された厨芥処理室と、
この厨芥処理室内に配置され、上記厨芥投入口から投入された厨芥を粉砕する粉砕手段と、
この粉砕手段を回転駆動する駆動手段と、
ヌメリ防除剤を入れるための薬剤収納部を備え、上記厨芥投入口に装着される蓋体と、
を有し、
上記蓋体は、厨芥の粉砕時に配置される、上記薬剤収納部への洗浄水の流入が阻止又は抑制される第１位置と、厨芥の非粉砕時に配置される、上記薬剤収納部を通って洗浄水を上記厨芥処理室内に流入させる第２位置との間で移動可能に上記厨芥投入口に装着されることを特徴とする厨芥処理装置。
【請求項２】
さらに、上記蓋体が上記第２位置から上記第１位置へ移動されたことを検知して、上記駆動手段を起動させる制御手段を有する請求項１記載の厨芥処理装置。
【請求項３】
上記蓋体は、洗浄水を上記厨芥処理室内に直接流入させる第１流入口と、洗浄水を上記薬剤収納部を通って上記厨芥処理室内に流入させる第２流入口と、を備え、上記蓋体が上記第２位置に配置されているときは、上記第２流入口は開放され、上記蓋体が上記第１位置に配置されているときは、上記第２流入口は閉鎖され又は狭められる請求項１又は２に記載の厨芥処理装置。
【請求項４】
上記第１流入口は上記蓋体の上面に形成され、上記第２流入口は上記蓋体の側面に形成されており、上記蓋体が、上記第２位置から上記第２位置よりも下方の上記第１位置に移動されると、上記第２流入口が上記厨芥投入口の中に落ち込んで上記第２流入口が閉鎖される請求項３記載の厨芥処理装置。
【請求項５】
さらに、上記厨芥処理室内に洗浄水を供給する給水手段を有し、上記制御手段は、上記蓋体が上記第１位置から上記第２位置へ移動されたことを検知すると、上記駆動手段を停止させ、その後、所定時間経過後に、上記給水手段による上記厨芥処理室内への洗浄水の供給を停止させる請求項２乃至４の何れか１項に記載の厨芥処理装置。
【請求項６】
厨芥処理装置の厨芥処理室に形成された厨芥投入口に装着される厨芥処理装置用の蓋体であって、
ヌメリ防除剤を入れるための薬剤収納部を有し、
上記厨芥処理装置による厨芥の粉砕時に配置される、上記薬剤収納部への洗浄水の流入が阻止又は抑制される第１位置と、上記厨芥処理装置による厨芥の非粉砕時に配置される、上記薬剤収納部を通って洗浄水を上記厨芥処理室に流入させる第２位置との間で移動可能に上記厨芥投入口に装着できることを特徴とする厨芥処理装置用の蓋体。
【発明の詳細な説明】
【技術分野】
【０００１】
本発明は、厨芥処理装置用の蓋体及びそれを備えた厨芥処理装置に関し、特に、シンクの排水口に設置され、厨芥を粉砕し、粉砕された厨芥を洗浄水と共に排水管に排出する厨芥処理装置用の蓋体及びそれを備えた厨芥処理装置に関する。
【背景技術】
【０００２】
雑菌の繁殖や、黴の発生を防止するため、流し台のシンクの排水口の下に配置されたゴミ取りカゴの中に配置するヌメリ防除剤が広く使用されている。このヌメリ防除剤は、一般にプラスチック製の網等の中に入れ、ゴミ取りカゴの中に吊るして使用されている。しかしながら、シンクの排水口の下に厨芥処理装置が設置されている場合、その厨芥処理室内にヌメリ防除剤を吊るして、厨芥処理室やそれに続く排水管内の除菌や防黴を行うことは、厨芥処理装置の構造上困難である。
【０００３】
一方、特開２００４−３２４３１４号公報（特許文献１）には、洗面台用ヌメリ取り器が記載されている。このヌメリ取り器は、洗面台の排水口の上に設置され、排水口の上に固形薬剤を入れた収納部が配置されるように構成されている。この構成により、排水口に排水が流入する際に、収納部に入れられた固形薬剤が少しずつ排水に溶解され、薬剤が溶解した排水が排水口に流入し、雑菌の繁殖や、黴の発生が防止されている。このような構造のヌメリ取り器であれば、下に厨芥処理装置が設置された排水口にも適用することが可能であると考えられる。
【０００４】
【特許文献１】特開２００４−３２４３１４号公報
【発明の開示】
【発明が解決しようとする課題】
【０００５】
しかしながら、厨芥処理装置によって厨芥の粉砕が行われている間は、細菌や微生物等を繁殖させる養分となる厨芥が多量に厨芥処理室内に存在するため、この間に、ヌメリ防除剤が溶解した洗浄水を厨芥処理室内に流入させても、十分な除菌、防黴効果を発揮させることは困難である。従って、特開２００４−３２４３１４号公報に記載されている構造のヌメリ取り器を、厨芥処理装置が設置された排水口に適用した場合、厨芥の粉砕処理中に、粉砕された厨芥を流出させるために供給される洗浄水にヌメリ防除剤が溶解されると、ヌメリ防除剤が浪費されてしまうという問題がある。
【０００６】
また、一般に、厨芥処理装置による粉砕処理中に厨芥処理室内に供給される洗浄水の流量は、シンクを通常使用する際の洗浄水の流量よりも多いため、粉砕処理中に浪費されるヌメリ防除剤の量が、益々多くなってしまうという問題がある。
【０００７】
なお、本明細書において、ヌメリ防除剤とは、厨芥処理室及びそれに続く排水管等の中に、細菌や微生物等が繁殖するのを抑制するための薬剤、黴が発生するのを抑制するための薬剤、汚れが付着するのを抑制するための薬剤、悪臭が発生するのを抑制するための薬剤等を含むものとする。
【０００８】
従って、本発明は、ヌメリ防除剤を浪費することなく、厨芥処理室内等における細菌や微生物等の繁殖を抑制することができる厨芥処理装置用の蓋体、及びそれを備えた厨芥処理装置を提供することを目的としている。
【課題を解決するための手段】
【０００９】
上述した課題を解決するために、本発明は、シンクの排水口に設置され、厨芥を粉砕し、粉砕された厨芥を洗浄水と共に排水管に排出する厨芥処理装置であって、厨芥を投入するための、排水口を兼ねた厨芥投入口が上方に形成された厨芥処理室と、この厨芥処理室内に配置され、厨芥投入口から投入された厨芥を粉砕する粉砕手段と、この粉砕手段を回転駆動する駆動手段と、ヌメリ防除剤を入れるための薬剤収納部を備え、厨芥投入口に装着される蓋体と、を有し、蓋体は、厨芥の粉砕時に配置される、薬剤収納部への洗浄水の流入が阻止又は抑制される第１位置と、厨芥の非粉砕時に配置される、薬剤収納部を通って洗浄水を厨芥処理室内に流入させる第２位置との間で移動可能に厨芥投入口に装着されることを特徴としている。
【００１０】
このように構成された本発明においては、厨芥の粉砕時において、蓋体が第１位置に配置されると、薬剤収納部への洗浄水の流入が阻止又は抑制され、薬剤収納部に入れられたヌメリ防除剤の洗浄水への溶解が抑制される。一方、厨芥の非粉砕時において、蓋体が第２位置に配置されると、薬剤収納部に洗浄水が流入し、薬剤収納部に入れられたヌメリ防除剤が洗浄水に溶解される。
【００１１】
このように構成された本発明によれば、ヌメリ防除剤によるヌメリ防除効果が低い厨芥の粉砕時には、ヌメリ防除剤の溶解が抑制され、厨芥の粉砕を行なっていないシンクの通常使用時には、ヌメリ防除剤が溶解されるので、ヌメリ防除剤を浪費することなく、厨芥処理室内等における細菌や微生物等の繁殖を抑制することができる。
【００１２】
本発明において、好ましくは、さらに、蓋体が第２位置から第１位置へ移動されたことを検知して、駆動手段を起動させる制御手段を有する。
このように構成された本発明においては、制御手段は、蓋体が、ヌメリ防除剤が溶解される第２位置からヌメリ防除剤の溶解が抑制される第１位置へ移動されると、駆動手段を起動させ、厨芥が粉砕される。
【００１３】
このように構成された本発明によれば、蓋体の第２位置から第１位置への移動と、厨芥の粉砕処理の起動が連動するので、厨芥の粉砕時において、蓋体を確実に第１位置に位置させることができる。
【００１４】
本発明において、好ましくは、蓋体は、洗浄水を厨芥処理室内に直接流入させる第１流入口と、洗浄水を薬剤収納部を通って厨芥処理室内に流入させる第２流入口と、を備え、蓋体が第２位置に配置されているときは、第２流入口は開放され、蓋体が第１位置に配置されているときは、第２流入口は閉鎖され又は狭められる。
【００１５】
このように構成された本発明においては、蓋体が第１位置に配置されているときは、洗浄水は主に第１流入口から直接厨芥処理室内に流入し、蓋体が第２位置に配置されているときは、洗浄水は第２流入口から薬剤収納部を通って厨芥処理室内に流入する。
このように構成された本発明によれば、第２流入口の開閉、又は開度の変化により、ヌメリ防除剤の溶解量を変化させることができる。
【００１６】
本発明において、好ましくは、第１流入口は蓋体の上面に形成され、第２流入口は蓋体の側面に形成されており、蓋体が、第２位置から第２位置よりも下方の第１位置に移動されると、第２流入口が厨芥投入口の中に落ち込んで第２流入口が閉鎖される。
【００１７】
このように構成された本発明によれば、第１流入口は厨芥投入口に対する蓋体の上下動に関わりなく常に開放され、第２流入口は、蓋体の上下動により開閉させることができる。
【００１８】
本発明において、好ましくは、さらに、厨芥処理室内に洗浄水を供給する給水手段を有し、制御手段は、蓋体が第１位置から第２位置へ移動されたことを検知すると、駆動手段を停止させ、その後、所定時間経過後に、給水手段による厨芥処理室内への洗浄水の供給を停止させる。
【００１９】
このように構成された本発明においては、蓋体を第２位置から第１位置へ移動させることにより厨芥の粉砕処理が開始され、蓋体を第１位置から第２位置へ戻すことにより駆動手段は停止される一方、洗浄水は、その後所定時間、厨芥処理室内に供給される。
【００２０】
このように構成された本発明によれば、厨芥処理装置による粉砕直後に、ヌメリ防除剤が溶解された洗浄水を厨芥処理室内に供給するので、ヌメリ防除剤を効果的に厨芥処理室内に作用させることができる。
【００２１】
また、本発明は、厨芥処理装置の厨芥処理室に形成された厨芥投入口に装着される厨芥処理装置用の蓋体であって、ヌメリ防除剤を入れるための薬剤収納部を有し、厨芥処理装置による厨芥の粉砕時に配置される、薬剤収納部への洗浄水の流入が阻止又は抑制される第１位置と、厨芥処理装置による厨芥の非粉砕時に配置される、薬剤収納部を通って洗浄水を厨芥処理室に流入させる第２位置との間で移動可能に厨芥投入口に装着できることを特徴としている。
【発明の効果】
【００２２】
本発明の厨芥処理装置用の蓋体、及びそれを備えた厨芥処理装置によれば、ヌメリ防除剤を浪費することなく、厨芥処理室内等における細菌や微生物等の繁殖を抑制することができる。
【発明を実施するための最良の形態】
【００２３】
次に、添付図面を参照して、本発明の好ましい実施形態を説明する。
まず、図１乃至図６を参照して、本発明の実施形態による厨芥処理装置を説明する。図１は、本発明の実施形態による厨芥処理装置、及びこれを設置したシンク全体を示す断面図である。図２は、本実施形態の厨芥処理装置の厨芥投入口に装着される蓋体の斜視図である。また、図３は蓋体を装着する厨芥投入口を拡大して示す斜視図であり、図４は厨芥投入口に蓋体を装着した状態を示す断面図である。
【００２４】
図１に示すように、本発明の実施形態による厨芥処理装置１は、厨芥を投入する厨芥投入口２が、流し台（図示せず）のシンク４の底面に開口するように設置される。また、シンク４の近傍には水栓６が設けられており、厨芥処理装置１によって厨芥を粉砕する際に、この水栓６から洗浄水が供給される。従って、厨芥処理装置１の厨芥投入口２は、シンク４の排水口を兼ねている。
【００２５】
さらに、本実施形態の厨芥処理装置１は、厨芥投入口２を上方に形成した厨芥処理室８と、この厨芥処理室８の中に配置された回転板１０と、この回転板１０を回転駆動する駆動手段であるモーター１２と、厨芥処理室８下部の、回転板１０の下側に設けられ、粉砕された厨芥を厨芥処理室８から排水管（図示せず）に排出する厨芥排出部１４と、を有する。
【００２６】
また、厨芥処理室８の中間部の内壁面には固定刃１６が取付けられている。さらに、回転板１０の上面には、２つのスイングハンマー１８がシャフト１８ａを中心に回転可能に取付けられている。また、モーター１２の回転軸１２ａの中間部には、回転板１０の下に落ちた厨芥を粉砕するブレード２０ａ及び厨芥処理室８内の洗浄水を攪拌する羽根２０ｂが取付けられ、これらは、回転軸１２ａから放射方向に延びている。本実施形態において、固定刃１６、スイングハンマー１８及びブレード２０ａは、粉砕手段を構成する。
【００２７】
また、厨芥処理装置１は、制御手段であるコントローラ２２を有し、コントローラ２２は、厨芥投入口２に設けられた磁気検出素子２４の検出信号に基づいてモーター１２を作動させ、水栓６から洗浄水を吐水させるように構成されている。さらに、厨芥処理装置１は、所定の場合においてコントローラ２２によって鳴動され、使用者に警告を発する警告手段であるブザー２５を有する。
【００２８】
また、水栓６には、シンク４の使用時に使用者によって手動で開閉される手動給水弁（図示せず）と、厨芥処理装置１の使用時にコントローラ２２からの制御信号により開閉される給水手段である厨芥処理装置用給水弁２８が内蔵されている。手動給水弁（図示せず）は、シンク４の通常使用時に使用者が手動で開閉操作する開閉弁であり、水栓６のハンドル６ｂを操作することにより開閉することができるように構成されている。これにより、手動給水弁（図示せず）及び厨芥処理装置用給水弁２８の何れか一方、又は両方が開放されることにより、吐水口６ａから洗浄水（水道水）が吐水されるように構成されている。
【００２９】
厨芥処理室８は、上方に円形の厨芥投入口２が開口した概ね円錐台状に形成されている。また、シンク４に流入した水は、シンク４の排水口を兼ねる厨芥投入口２から厨芥処理室８に入り、厨芥排出部１４を介して排水管（図示せず）に排水されるように構成されている。
【００３０】
また、回転板１０は、厨芥処理室８の中間部に水平に支持された金属製の円板である。さらに、回転板１０は、その中心がモーター１２の回転軸１２ａにネジ止めされており、モーター１２によって回転駆動される。また、回転板１０には、それを直角に貫通するように、２本のシャフト１８ａが取付けられている。シャフト１８ａは、回転板１０の上面側において、金属製のスイングハンマー１８を回転可能に支持している。スイングハンマー１８は、概ね直方体のブロック状であり、一端にシャフト１８ａが通されている。また、スイングハンマー１８の底面は平面であり、先端に向かって厚さが厚くなり、先端は回転板１０の周縁とほぼ同一曲率の円弧状に形成されている。また、スイングハンマー１８の長さは、スイングハンマー１８が、回転板１０の半径方向外方に向けられたとき、その先端が回転板１０の周縁とほぼ一致するように設定されている。
【００３１】
一方、図１に示すように、厨芥処理室８の中間部の内壁には、回転板１０を取り囲むように、金属製の固定刃１６が取付けられている。固定刃１６には、円周方向に等間隔に多数の鉛直方向の切り抜き部（図示せず）が形成されている。厨芥は、固定刃１６の各切り抜き部（図示せず）のエッジと、スイングハンマー１８の間に押し込まれることにより、厨芥処理室８内で粉砕される。
【００３２】
コントローラ２２は、磁気検出素子２４の検出信号に基づいてモーター１２及び厨芥処理装置用給水弁２８を作動させ、厨芥処理装置１による厨芥の粉砕を実行するように構成されている。コントローラ２２は、具体的には、マイクロプロセッサ、メモリ及びそれに記憶されたプログラム（以上図示せず）等により構成される。コントローラ２２による制御の詳細は後述する。
【００３３】
次に、図２乃至４を参照して、厨芥処理装置１の厨芥投入口２に装着される厨芥処理装置用の蓋体３０を説明する。
図２及び図４に示すように、蓋体３０は、ドーナツ板状の上板部３２と、この上板部３２から下方に延びる円筒状の下筒部３４と、この下筒部３４の内側に、同心円状に形成された内側筒部３６によって形成されている。上板部３２の中央には、漏斗状の円錐面３２ａが形成されており、この円錐面３２ａの底部には、第１流入口３２ｃが形成されている。また、円錐面３２ａの両側に橋渡しをするように、円錐面３２ａの半径方向に延びる把持部３２ｂが形成されている。
【００３４】
また、下筒部３４の上端の円周上には、等間隔に６つの第２流入口３４ａが形成されている（図２には３つのみ図示）。さらに、２つの傾斜溝３４ｂが、下筒部３４の下端から斜め上方に延びるように対称の位置に形成されている（図２には１つのみ図示）。これら傾斜溝３４ｂは、下筒部３４の下端からほぼ鉛直方向に延びる鉛直溝部３４ｃと、この鉛直溝部３４ｃの上端から斜め上方に延びる傾斜溝部３４ｄと、この傾斜溝部３４ｄの先端からほぼ水平方向に延びる水平溝部３４ｅから形成されている。さらに、下筒部３４の円周上の２箇所には、厨芥処理装置１を起動させるための磁石３５が埋め込まれている。
【００３５】
また、内側筒部３６は、下筒部３４の内側に同心円状に形成されており、その下端は、内側筒部３６から半径方向外方に延びる環状の環状底面３６ｂによって下筒部３４の内側側面に連結されている。この下筒部３４、内側筒部３６、及び環状底面３６ｂによって囲まれた空間である薬剤収納部３９には、粒状のヌメリ防除剤３８が入れられる。さらに、内側筒部３６の下側の約１／２の領域には、洗浄水に溶解したヌメリ防除剤３８を拡散させるための多数の薬剤拡散孔３６ａが形成されている。
【００３６】
さらに、図３に示すように、蓋体３０が装着される厨芥投入口２は、厨芥処理室８の上端と連通する筒状部２ａと、この筒状部２ａの上端から外方に延びるフランジ部２ｂとを有する。厨芥処理装置１がシンク４に取付けられた状態では、フランジ部２ｂの上面のみが外部に露出し、他の部分はシンク４の底面の下側に位置するように配置される。また、筒状部２ａの内側面には、円柱状の２つの突起２ｃが設けられている（１つのみ図示）。この突起２ｃは蓋体３０の傾斜溝３４ｂに受入れられるように構成されている。さらに、筒状部２ａの外側面には、蓋体３０の下筒部３４に取付けられた起動操作用の磁石３５の磁気を検知するための２つの磁気検出素子２４（１つのみ図示）が、対称の位置に取付けられている。
【００３７】
次に、図１、図５及び図６を参照して、本発明の実施形態による厨芥処理装置１の作用を説明する。図５は蓋体３０を厨芥投入口２に装着した蓋体３０の第１位置を示す斜視図であり、図６は蓋体３０の第２位置を示す斜視図である。本実施形態の厨芥処理装置１では、厨芥の粉砕時においては、蓋体３０は第１位置に配置され、非粉砕時、即ち、シンク４の通常使用時においては、蓋体３０は第２位置に配置される。
【００３８】
まず、本実施形態の厨芥処理装置１によって厨芥を粉砕する際の作用を説明する。厨芥処理装置１によって厨芥を粉砕する場合には、まず、蓋体３０を厨芥投入口２から取り外し、処理すべき厨芥を厨芥投入口２から厨芥処理室８内に投入する。投入された厨芥は、回転板１０の上に載せられる。
【００３９】
次に、蓋体３０を厨芥投入口２に装着する。まず、図６に示すように、蓋体３０が厨芥投入口２に装着され、厨芥投入口２の突起２ｃが蓋体３０の鉛直溝部３４ｃに受入れられた状態では、蓋体３０の上板部３２が、厨芥投入口２のフランジ部２ｂよりも高くなる第２位置となる。この第２位置では、蓋体３０の上面に形成された第１流入口３２ｃ、側面に形成された第２流入口３４ａとも開放された状態にある。次いで、使用者が、蓋体３０の把持部３２ｂを摘んで蓋体３０を回動させると突起２ｃが傾斜溝部３４ｄに沿って摺動し、図５に示すように、蓋体３０が下降して、厨芥投入口２の中に落ち込み、上板部３２とフランジ部２ｂが同一平面上に位置する第１位置となる。この第１位置では、蓋体３０側面の第２流入口３４ａは厨芥投入口２の中に落ち込んで閉鎖され、洗浄水は開放されたままの第１流入口３２ｃを通って厨芥処理室８内に流入する。
【００４０】
蓋体３０が回動され、突起２ｃが水平溝部３４ｅの終端まで達すると、蓋体３０の下筒部３４に取付けられた２つの磁石３５と厨芥投入口２の筒状部２ａに取付けられた２つの磁気検出素子２４の位置が夫々整合し、各磁石３５の磁気が各磁気検出素子２４によって検出される。なお、磁石３５及び磁気検出素子２４は厨芥投入口２の中心点に対して対称の位置に取付けられているので、蓋体３０を何れの向きで厨芥投入口２に装着した場合でも、２つの磁石３５が２つの磁気検出素子２４と夫々整合し、各磁気検出素子２４は磁気を検知する。各磁気検出素子２４が磁気を検出すると、コントローラ２２は、厨芥処理装置１を厨芥処理モードで起動させる。なお、コントローラ２２は、何れか一方の磁気検出素子２４が磁気を検知していない場合には、厨芥処理モードを起動させないように構成されている。これにより、磁気検出素子２４が起動操作用磁石３５の磁気以外の何らかの磁気を検知することにより、厨芥処理装置１が誤って起動されるのを防止している。まず、コントローラ２２は、厨芥処理装置用給水弁２８に信号を送ってこれを開放させ、水栓６の吐水口６ａから洗浄水を吐水させる。蓋体３０は上板部３２とフランジ部２ｂが同一平面上に位置する第１位置に配置されているため、第２流入口３４ａは閉鎖されており、吐水された洗浄水は第１流入口３２ｃを通って厨芥処理室８内に流入する。このため、洗浄水は、薬剤収納部３９を通らずに、直接厨芥処理室８内に流入する。次いで、コントローラ２２は、モーター１２に信号を送って、これを起動させて回転板１０を回転させる。
【００４１】
このように、本実施形態の厨芥処理装置１では、蓋体３０の操作によってモーター１２が起動されるため、使用者が厨芥処理室８内に手を入れた状態でモーター１２が回転されることはない。回転板１０が回転されると、回転板１０上の厨芥は、固定刃１６とスイングハンマー１８の間で粉砕され、粉砕された厨芥は、洗浄水と共に回転板１０の下側に落ちる。回転板１０の下に落ちた厨芥は、洗浄水と共に厨芥排出部１４を通って厨芥処理室８から流出し、排水管（図示せず）へ排出される。モーター１２が回転され、厨芥処理室８内の厨芥が粉砕された後、使用者は、蓋体３０の把持部３２ｂを摘んで蓋体３０を起動時とは反対の方向に回動させる。これにより、厨芥投入口２の突起２ｃが蓋体３０の傾斜溝部３４ｄに沿って摺動し、図６に示すように、蓋体３０は上昇して、上板部３２がフランジ部２ｂよりも上方に位置する第２位置に移動される。
【００４２】
コントローラ２２は、使用者によるこの操作を検出すると、モーター１２に信号を送って、これを停止させる。また、コントローラ２２は、モーター１２を停止させた後も、厨芥処理装置用給水弁２８を開放させた状態を所定時間維持し、所定量の洗浄水を厨芥処理室８内に流入させる。このとき、蓋体３０は第２位置に移動されているため、第２流入口３４ａは開放されており、第２流入口３４ａから流入した洗浄水は薬剤収納部３９を通って厨芥処理室８内に流入する。即ち、薬剤収納部３９を通ってヌメリ防除剤３８を溶解した洗浄水が、厨芥の粉砕が終了した直後の厨芥処理室８内に流入する。これにより、粉砕時に飛散した厨芥が厨芥処理室８の壁面に付着していたとしても、付着した厨芥での雑菌の繁殖が効果的に抑制される。所定時間経過後、コントローラ２２は、厨芥処理装置用給水弁２８を閉鎖させ、１回の厨芥処理が終了する。
【００４３】
本発明の実施形態による厨芥処理装置によれば、蓋体が第１位置にあり、厨芥が粉砕されているときにはヌメリ防除剤が溶解されず、蓋体が第２位置にあり、厨芥が粉砕されていないときにはヌメリ防除剤が溶解されるので、ヌメリ防除剤を浪費することなく、厨芥処理室内等における細菌や微生物等の繁殖を抑制することができる。
【００４４】
また、本実施形態の厨芥処理装置によれば、蓋体が第２位置から第１位置へ移動されるとコントローラがモーターを起動させ、厨芥が粉砕されるので、ヌメリ防除剤の効果が低い厨芥の粉砕時に蓋体を確実に第１位置に位置させることができ、ヌメリ防除剤の浪費を防止することができる。
【００４５】
さらに、本実施形態の厨芥処理装置によれば、蓋体を第１位置から第２位置へ戻すことにより、厨芥の粉砕を終了した後、所定時間洗浄水が厨芥処理室内に供給されるので、厨芥の粉砕が終了した直後の最もヌメリ防除効果が高いときに、ヌメリ防除剤が溶解された洗浄水を、厨芥処理室内に供給することができる。
【００４６】
上述した本発明の実施形態による厨芥処理装置では、厨芥投入口に装着される蓋体の操作を検知して、厨芥処理装置が起動されていたが、変形例として、蓋体の操作ではなく、シンクの近傍に設けた起動スイッチ（図示せず）により厨芥処理装置が起動されるように構成することもできる。
【００４７】
また、上述した本発明の実施形態による厨芥処理装置では、コントローラが厨芥処理装置用給水弁を開閉させて洗浄水を供給していたが、変形例として、使用者が手動で水栓を操作して洗浄水を供給するように構成することもできる。
【００４８】
さらに、上述した本発明の実施形態による厨芥処理装置では、厨芥を粉砕する際に第２流入口が閉鎖されていたが、変形例として、厨芥を粉砕する際に第２流入口の開度が小さくなるように構成することもできる。
【００４９】
また、上述した本発明の実施形態による厨芥処理装置では、蓋体を第２位置から第１位置に移動させることにより粉砕処理が起動され、第１位置から第２位置に戻すことによりモーターが停止されるように構成されているが、変形例として、蓋体の操作により粉砕処理が起動された後、所定時間後に自動的にモーターが停止されるように構成することもできる。
【図面の簡単な説明】
【００５０】
【図１】本発明の実施形態による厨芥処理装置、及びこれを設置したシンク全体を示す断面図である。
【図２】本発明の実施形態による厨芥処理装置の厨芥投入口に装着される蓋体の斜視図である。
【図３】蓋体を装着する厨芥投入口を拡大して示す斜視図である。
【図４】厨芥投入口に蓋体を装着した状態を示す断面図である。
【図５】蓋体を厨芥投入口に装着した蓋体の第１位置を示す斜視図である。
【図６】蓋体を厨芥投入口に装着した蓋体の第２位置を示す斜視図である。
【符号の説明】
【００５１】
１      本発明の実施形態による厨芥処理装置
２      厨芥投入口
２ａ    筒状部
２ｂ    フランジ部
２ｃ    突起
４      シンク
６      水栓
６ａ    吐水口
６ｂ    ハンドル
８      厨芥処理室
１０    回転板
１２    モーター
１２ａ  回転軸
１４    厨芥排出部
１６    固定刃
１８    スイングハンマー
１８ａ  シャフト
２０ａ  ブレード
２０ｂ  羽根
２２    コントローラ
２４    磁気検出素子
２５    ブザー
２８    厨芥処理装置用給水弁
３０    蓋体
３２    上板部
３２ａ  円錐面
３２ｂ  把持部
３２ｃ  第１流入口
３４    下筒部
３４ａ  第２流入口
３４ｂ  傾斜溝
３４ｃ  鉛直溝部
３４ｄ  傾斜溝部
３４ｅ  水平溝部
３５    磁石
３６    内側筒部
３６ａ  薬剤拡散孔
３６ｂ  環状底面
３８    ヌメリ防除剤
３９    薬剤収納部
【図１】
2007175644.tif 000003
【図２】
2007175644.tif 000004
【図３】
2007175644.tif 000005
【図４】
2007175644.tif 000006
【図５】
2007175644.tif 000007
【図６】
2007175644.tif 000008